(57)【特許請求の範囲】
【請求項１】
容器体Ａと、該容器体に装着したトリガーポンプＢとを備え、ポンプのトリガー操作により容器体内の液を吸い上げ、噴出口15より噴出する如く構成したトリガー式液体噴出器であって、上記トリガーポンプＢが、容器体口頸部３に嵌着した装着筒７より後方へ、支持板部８を延設してなる装着筒部材４と、上記装着筒７上端を貫通して上方付勢状態で上下動可能に注出筒14を突出するとともに、先端部に噴出口15を開口した上下動部材５と、上記支持板部８に回動可能に後部を連係させるとともに、前後方向中間部を押下げが可能に上下動部材５と連係させ、且つ、前部のトリガー17を装着筒前方へ垂下したトリガー部材６とを備えてなり、トリガー17の引き込みに伴い所定角度回動するとともに、トリガー17の復帰時には回動せず、且つ、表示部24により所要メッセージを伝達する表示板23を設け、該表示板23が、支持板部８とトリガー部材６後部との軸着部分に於ける回動軸20に、中央部の透孔25を嵌合させて回動可能に装着させるとともに、両側に上記した如く回動を制御する回動調整機構26備えてなることを特徴とするトリガー式液体噴出器。
【請求項２】
上記回動調整機構26が、表示板23一側面に環状に配置した複数の第１突起27と、表示板23一側面との対向面所定位置に設けるとともに、トリガー部材６の順方向への回動時に第１突起27と係合して表示板23を回動させ、且つ、所定角度回動後の逆方向への回動時には前記第１突起27と隣接する第１突起27a を乗越えて係合する第２突起28と、表示板23他側面に環状に配置した複数の第３突起29と、表示板23他側面との対向面所定位置に設けるとともに、トリガー部材の順方向への回動時には第３突起29当接状態から隣接する第３突起29a を乗越えて係合し、且つ、所定角度回動後の逆方向への回動時には隣接する第３突起29a が係合して表示板23の回動を阻止する第４突起30とからなる請求項１記載のトリガー式液体噴出器。
【請求項３】
上記表示部24が、収納液の適正噴出量を表現してなる請求項１又は請求項２のいずれかに記載のトリガー式液体噴出器。
【発明の詳細な説明】
【０００１】
【発明の属する技術分野】
本発明はトリガー式液体噴出器に関する。
【０００２】
【従来の技術】
トリガー式液体噴出器として、容器体と、該容器体に装着したポンプとを備え、ポンプのトリガー操作によりポンプに内蔵した吸い上げ機構の作用で容器体内の液を吸い上げ、噴出口より噴出する如く構成したものが知られている。
【０００３】
従来のこの種の噴出器は、液の噴出量と収納液の種類等の関係を特別考慮しておらず、使用者の感覚でトリガーの引く回数を決め、液の噴出量を決めるように構成している。
【０００４】
【発明が解決しようとする課題】
しかしながら、収納液の種類によっては必要量の過不足が液の効果に影響したり、無駄を生じる場合がある。
【０００５】
本発明は上記した点に鑑みなされたもので、簡単な構造で噴出液の適正噴出量を認識でき、無駄がなく、最適量の液噴出を行えるトリガー式液体噴出器を提案するものである。
【０００６】
第１の手段として、以下の通り構成した。即ち、容器体Ａと、該容器体に装着したトリガーポンプＢとを備え、ポンプのトリガー操作により容器体内の液を吸い上げ、噴出口15より噴出する如く構成したトリガー式液体噴出器であって、上記トリガーポンプＢが、容器体口頸部３に嵌着した装着筒７より後方へ、支持板部８を延設してなる装着筒部材４と、上記装着筒７上端を貫通して上方付勢状態で上下動可能に注出筒14を突出するとともに、先端部に噴出口15を開口した上下動部材５と、上記支持板部８に回動可能に後部を連係させるとともに、前後方向中間部を押下げが可能に上下動部材５と連係させ、且つ、前部のトリガー17を装着筒前方へ垂下したトリガー部材６とを備えてなり、トリガー17の引き込みに伴い所定角度回動するとともに、トリガー17の復帰時には回動せず、且つ、表示部24により所要メッセージを伝達する表示板23を設けて、該表示板23が、支持板部８とトリガー部材６後部との軸着部分に於ける回動軸20に、中央部の透孔25を嵌合させて回動可能に装着させるとともに、両側に上記した如く回動を制御する回動調整機構26備えてなる。
【０００７】
第２の手段として、以下の通り構成した。即ち、前記第１の手段に於いて、上記回動調整機構26が、表示板23一側面に環状に配置した複数の第１突起27と、表示板23一側面との対向面所定位置に設けるとともに、トリガー部材６の順方向への回動時に第１突起27と係合して表示板23を回動させ、且つ、所定角度回動後の逆方向への回動時には前記第１突起27と隣接する第１突起27a を乗越えて係合する第２突起28と、表示板23他側面に環状に配置した複数の第３突起29と、表示板23他側面との対向面所定位置に設けるとともに、トリガー部材の順方向への回動時には第３突起29当接状態から隣接する第３突起29a を乗越えて係合し、且つ、所定角度回動後の逆方向への回動時には隣接する第３突起29a が係合して表示板23の回動を阻止する第４突起30とからなる。
【０００８】
第３の手段として、以下の通り構成した。即ち、前記第１の手段又は第２の手段のいずれかの手段に於いて、上記表示部24が、収納液の適正噴出量を表現してなる。
【００１０】
【発明の実施の形態】
以下、本発明の実施の形態を図面を参照して説明する。
【００１１】
本発明のトリガー式液体噴出器１は、容器体Ａと、トリガーポンプＢとを備えている。容器体Ａは合成樹脂等により形成したものが使用でき、胴部２より口頸部３を起立している。
【００１２】
トリガーポンプＢは、装備されたトリガーの操作により内蔵ポンプ機構の作用で容器体内の液を吸い上げ、噴出口より噴出する如く構成したもので、装着筒部材４と、上下動部材５と、トリガー部材６とを備えている。
【００１３】
装着筒部材４は、トリガーポンプＢを容器体Ａに装着固定するためのもので、容器体口頸部３に嵌着した装着筒７より後方へ支持板部８を延設して構成している。図示例の装着筒７は上部を小径部7aに形成し、下部の大径部7bを口頸部３外周に着脱可能に嵌合させている。支持板部８は、トリガー部材６を揺動可能に軸着するためのもので、図示例では、装着筒小径部7a後面より斜め上方へ二股板状に一対の支持板部８を形成し、その上部中央部に軸受孔９をそれぞれ穿設している。尚、支持板部は図示例のものに限らず、１枚板のものであっても良く、その場合には軸着するトリガー部材６の後端部を二股板状に形成するとよい。
【００１４】
装着筒７内にはシリンダを固定しており、装着筒７を口頸部３外周に嵌合させた際にシリンダが容器体内に垂下される如く構成している。図示例では、装着筒の小径部7a内に上端を嵌着固定したシリンダ10の下部を容器体Ａ内に垂下させ、シリンダ10外周より突設したフランジ11を、その下面のパッキン12とともに口頸部３と装着筒７の段部との間に挟持させる如く構成している。シリンダ10の下端には吸い上げ用のパイプ13を嵌着している。尚、シリンダ10内下部には、この種ポンプの一般的形態として吸込み弁（図示せず）を設けている。
【００１５】
上下動部材５は、容器体Ａ内の液をシリンダ10を介して先端の噴出口より噴出するためのもので、上記装着筒７上端を貫通して上方付勢状態で上下動可能に注出筒14を突出するとともに、先端部に噴出口15を開口して構成している。図示例では、注出筒14の上部を前方へ屈折して先端部にノズル16を嵌着し、ノズル16の先端に噴出口15を開口している。注出筒14の下端外周には図示しないピストンを突設し、シリンダ内に摺動可能に嵌合させている。又、ノズルには一般的な吐出弁を内蔵している。従って、上下動部材５を押下げるとシリンダ内の加圧液が吐出弁を開いて噴出口より噴出し、上下動部材５が上昇する際には吸込み弁が開いて容器体内の液をパイプ13を介して吸い上げる如く構成している。
【００１６】
トリガー部材６は、装備したトリガーを引き込むことにより上下動部材５を上方付勢力に抗して押下げ、ポンプを作動させるためのもので、上記支持板部８に回動可能に後部を連係させるとともに、前後方向中間部を押下げが可能に上下動部材５と連係させ、且つ、前部のトリガー17を装着筒７前方に垂下して構成している。
【００１７】
図示例では、各支持板部８間に回動可能に軸着した後端の軸着板18より前方へ上下動部材５両側に位置する一対の側板19を延設するとともに、各側板の前部下面より一体にトリガー17を垂設し、且つ、各側板19を上下動部材５に押し下げ可能に連係させている。軸着板18の両側には回動軸20をそれぞれ突設し、支持板部８の軸受孔９に回動可能に嵌合させている。各側板19と上下動部材５との連係はトリガー17を引いた際に上下動部材５を押し下げることができれば種々の形態を採用でき、図示例では、注出筒14外面に突起21を突設し、各突起21と係合可能な押圧突起22を各側板19内側面所定位置に突設して構成している。
【００１８】
本発明では、上記した如きトリガー式液体噴出器において、表示板23を設けている。表示板23は、トリガー17の引き込みに伴い所定角度回動するとともに、トリガー17の復帰時には回動せず、且つ、表示部24により所要のメッセージを伝達する如く構成したもので、図示例では、トリガー部材６と装着筒部材４との軸着部分に於ける回動軸20に、中央部の透孔25を嵌合させて回動可能に表示板23を装着させている。また、両側に上記した如く表示板23の回動を制御する回動調整機構26を備えている。
【００１９】
表示部24は図示例の如き表示板23の外側面縁部の外、表示板の内側面縁部、或いは表示板の外周面等に形成することができ、表示板23に隣接する軸着板18や支持板部８に基準指標を設けることにより、より明確な表現を行える。表示部24の表現形態としては、文字，絵，図柄，記号等を用いることができ、これらを併用しても良い。
【００２０】
表示部24は、例えば、トリガー17の一回ごとの引き込みをそれぞれ特定したり、収納液の適正噴出量を表現したり、或いはトリガー17の必要複数回の引き込みを特定するものが採用できる。具体的にいえば、軸着板や支持板部に指標として矢印等のマークを施しておき、該マーク対向位置に表示部24の一部としての数字を施し、トリガー17の１回の引き込みで表示板23が回動した際に次の数字がマーク対向位置に移動する如く構成したり、或いは、収納液が有効に使用される量がトリガー17を所定複数回引き込んだ際の噴出量である場合に、例えば、同様に矢印等のマークを施し、表示板23外側面縁部にトリガー17三回引き込み毎の位置に表示部24としての文字や数字を施すことができる。
【００２１】
回動調整機構26は、表示板23一側面に環状に配置した複数の第１突起27と、表示板一側面との対向面所定位置に設けるとともに、トリガー部材６の順方向への回動時に第１突起27と係合して表示板23を回動させ、且つ、所定角度回動後の逆方向への回動時には前記第１突起27と隣接する第１突起27a を乗越えて係合する第２突起28と、表示板23他側面に環状に配置した複数の第３突起29と、表示板他側面との対向面所定位置に設けるとともに、トリガー部材の順方向への回動時には第３突起29当接状態から隣接する第３突起29a を乗越えて係合し、且つ、所定角度回動後の逆方向への回動時には隣接する第３突起29a が係合して表示板23の回動を阻止する第４突起30とから構成した
【００２２】
図示例において第１突起27は、図７に示す如く、表示板23の内側面の回動軸20を中心とした環状位置に等間隔に12ヶ所設けており、また、第２突起28は第１突起27の一つに一側面を当接係止している。
【００２３】
図８に示す如く、各第１突起27は１側縁より他側縁に向かって逆時計廻り方向に傾斜下降しており、円周方向の断面が直角三角形状をなしている。また、第２突起は第１突起27とは逆方向に１側縁より他側縁に向かって傾斜下降しており、従って、トリガー17を引き込んで第２突起28を逆時計廻りに回動させると、突出幅の大きい垂直面相互が係合している第１突起27も逆時計廻りに所定角度回動する。
【００２４】
次いでトリガー17が復帰する際には、第２突起28は時計廻りに回動し、前記第１突起27と隣接する第１突起27a とは傾斜面相互が対向するため、隣接する第１突起27a を第２突起28が強制的に乗り越えて垂直面相互が係合する如く構成している。
【００２５】
第３突起29は図９に示す如く、表示板23の外側面に回動軸20を中心とした環状位置に等間隔に12ヶ所設けており、また、第４突起30は第３突起29の一つに一側面を当接係止している。
【００２６】
図１０に示す如く、各第３突起29は１側縁より他側縁に向かって逆時計廻り方向に傾斜下降しており、円周方向の断面が直角三角形状をなしている。また、第４突起30は第３突起29とは逆方向に１側縁より他側縁に向かって傾斜下降しており、従って、トリガー17を引き込んで第３突起29を逆時計廻りに回動させると、第４突起30と垂直面を互いに当接している第４突起30と隣接する第３突起29とは傾斜面相互が対向するため、隣接する第３突起29a が第４突起30を強制的に乗越えて垂直面相互が当接する。
【００２７】
次いでトリガー17が復帰する際には、隣接する第３突起29a は第４突起30と垂直面相互が当接しているため、回動を阻止されそのままの状態を維持する。
【００２８】
この様にしてトリガー17の一回の引き込みにより表示板23は所定角度回動し、表示部24がそれに伴って回動して所定位置に所定のメッセージを表現する如く構成している。尚、図示例では、第２突起28及び第４突起30をそれぞれ一つずつ設けているが、これに限られず、それぞれ同様の条件で複数個設けても良い。
【００２９】
【発明の効果】
以上説明した如く、本発明トリガー式液体噴出器は、トリガー17の引き込みに伴い所定角度回動するとともに、トリガー17の復帰時には回動せず、且つ、表示部24により所要メッセージを伝達する表示板23を設けているので、トリガー17の引き込みによる噴出量に関連するメッセージを簡単に伝達することができるものである。
【００３０】
また、支持板部８とトリガー部材６との軸着部分に於ける回動軸20に、中央部の透孔25を嵌合させて回動可能に表示板23を装着させ、その両側に回動を制御する回動調整機構26を設けたので、表示板23が邪魔にならず、液の噴出も簡単に行える利点を兼ね備える。
【００３１】
また、第２の手段では、回動調整機構26が表示板23両側の第１乃至第４突起で構成しているため、コンパクトに形成できる利点を兼ね備えている。
【００３２】
また、第３の手段では、収納液の適正噴出量を表現してなる表示部24を備えているので、無駄なくし収納液を有効に噴出することができる利点を兼ね備える。
【図面の簡単な説明】
【図１】本発明の一実施例を示す側面図である。
【図２】同実施例の平面図である。
【図３】同実施例の縦断面図である。
【図４】同実施例の装着筒部材を示す斜視図である。
【図５】同実施例のトリガー部材を示す斜視図である。
【図６】同実施例の表示板を示す斜視図である。
【図７】同実施例の回動調整機構を説明する説明図である。
【図８】同実施例の第１突起及び第２突起を説明する説明図である。
【図９】同実施例の回動調整機構を説明する説明図である。
【図１０】同実施例の第３突起及び第４突起を説明する説明図である。
【符号の説明】
３…口頸部，４…装着筒部材，５…上下動部材，６…トリガー部材，
７…装着筒，８…支持板部，14…注出筒，15…噴出口，17…トリガー，
20…回動軸，23…表示板，24…表示部，25…透孔，26…回動調整機構，
27…第１突起，28…第２突起，29…第３突起，30…第４突起，Ａ…容器体，
Ｂ…トリガーポンプ
【図１】
0004341766.tif 000002
【図２】
0004341766.tif 000003
【図３】
0004341766.tif 000004
【図４】
0004341766.tif 000005
【図５】
0004341766.tif 000006
【図６】
0004341766.tif 000007
【図７】
0004341766.tif 000008
【図８】
0004341766.tif 000009
【図９】
0004341766.tif 000010
【図１０】
0004341766.tif 000011